(57)【特許請求の範囲】
【請求項１】
プレススルーパック包装体を収納する包装ケースにおいて、上蓋面板１１の右長辺方向に折罫線１８を介して左側面板１２が連設され、左側面板１２の右長辺方向に折罫線１９を介して底面板１３が連設され、さらに底面板１３の右長辺方向に折罫線２０を介して中央側面板１４が連設され、中央側面板１４の右長辺方向に折罫線２１を介して左内蓋面板９が連設され、さらに左内蓋面板９の右長辺方向に折罫線２２を介して右内蓋面板１０が連設され、さらに右内蓋面板１０の右長辺方向に折罫線２３を介して右側面板１５を設け、左内蓋面板９と右内蓋面板１０にプレススルーパック包装体８の凹設収容部４と同等の配列で凹設収容部４の大きさか、それ以上の大きさの孔２４が設けられ左内蓋面板９の右長辺方向に施されている折罫線２２から右内蓋面板１０を内側に折り畳みプレススルーパック包装体８を包囲すると同時に中央側面板１４と右側面板１５を結着し、底面板１３の長辺方向の左右に施されている折罫線１９、２０を内側に折り曲げ左側面板１２と中央側面板１４が向き合わせ後、中央側面板１４に折罫線２１を介して連設されている左内蓋面板９、右内蓋面板１０を内側に底面板１３と平行に折り曲げ角筒状に形成し、さらに、左側面板１２の短辺方向両端に折罫線３５を介してダスト面３１、中央側面板１４の短辺方向両端に折罫線３７を介してダスト面３６を設け、さらに上蓋面板１１の短辺方向の両端に折罫線３３を介してダフトフラップ面２９を設けさらに折罫線３４を介してダフト面３０を設けさらにダフト面３０先端中央部にＶ型ノッチ３８および切れ目線３９を設けるとともに、上蓋面板１１が左内蓋面板９、右内蓋面板１０上に重ね合わされ、さらに左側面板１２、中央側面板１４の両端に連設されたダスト面３１、３６を左側面板１２、と中央側面板１４に対し直角に内側に折り曲げ、ダフトフラップ面２９を上蓋面板１１に直角に折り曲げ、さらに上蓋面板１１を開かなくするためにダフト面３０を底面板１３に挿入し角筒状に形成されることを特徴としプレススルーパック包装体８は凹設収容部４と凹設収容部開口部４７を除いて左内蓋面板９と右蓋面板１０とにより、包囲収納されていることを特徴とするプレススルーパック角状包装体ケース。
【請求項２】
前記上蓋武面板１１の左長辺方向に折罫線２８を介してタブ面２７を設けたことを特徴とする請求項１記載のプレススルーパック角状包装体ケース。
【請求項３】
前記上蓋面板１１の左長辺方向に折罫線４２を介して附加面板４１を設けたことを特徴とする請求項１記載のプレススルーパック角状包装体ケース。
【発明の詳細な説明】
【０００１】
【発明の属する技術分野】
本発明は、錠剤やトローチ剤、カプセル剤等の医薬品、又は固形調味等の食品の包装形態である、いわゆるプレススルーパック包装体においてプレススルーパック包装体の凹設収容開口部を保護し、使用説明書とプレススルーパック包装体とが一体に構成されており、且つプレススルーパック包装体に収納された内容物を取り出す際にもケースを分離すること無しに容易に内容物を取り出すことができる、プレススルーパック包装体ケースに関する。
【０００２】
【従来の技術】
プレススルーパック包装体(以下ＰＴＰ包装体とする)は熱可塑性樹脂のプラスチックシート（又はプラスチックフィルム）を熱間圧空成型あるいは熱間真空成型等により内容物大の形状に凹設又は小さな深絞り成型容器を作り、その成型容器内錠剤、トローチ剤、カプセル剤等の医薬品製剤、あるいは固形調味料、チョコレート、キャンデー、菓子等の食品、を充填し、凹設収容部をアルミニウム箔又は、薄いリジットプラスチックシート等の蓋材で密封包装したものであり医薬品の錠剤、丸剤、トローチ剤、カプセル剤等の医薬品製剤の６０％〜８５％程度がＰＴＰ包装と言うように非常に多く使用されている。
【０００３】
ＰＴＰ包装体の普及ともないＰＴＰ包装使用に対して販売名、規格、含量等の内袋への明記が義務ずけられた。調剤時（薬剤師）あるいは投薬時（看護婦）または服用時（患者）に医薬品が容易に認定できること、また記載項目として和文販売名、英文販売名、規格・含量（有効成分含量）、識別コード、ケアマーク、注意表示等の明記が厳しく義務づけられてきている。
【０００４】
しかし、医薬品による投与容量等の間違い、投与剤の間違い、投与方法の間違い、あるいは投与患者の間違いなど医療過誤が発生しており、医薬品の最小包装単位で種々の表示添付の要望が特に高まってきている。
【０００５】
また、誤飲の問題のほかに医薬品製剤のＰＴＰ包装体の普及とともに服用時に錠剤等を破封せずに包装状態で飲用したり、また服用時ＰＴＰ包装シートの縁部で手等を切るなどの損傷事故が多く発生している。
【０００６】
また、医薬品は安全性がもとより効能、有効性、便利性、環境適応性、表示性等を保証する為に、品質劣化に対して医薬品製剤及び包装材料の保護機能に格別な注意を払うことが要求されている。従来、ＰＴＰの成形用基材シートとして透明性と成形適性が良いポリ塩化ビニルシートが主に使用されてきたが、廃棄等の関係から近年、無延伸ポリプロピレンシートやポリエチレンテレフタレートシート等が使用されている。
【０００７】
また、錠剤、トローチ剤、カプセル剤等の医薬品製剤は吸湿性が一般に高い為に水蒸気バリア性の高い透明成形基材シートが要望される。この為にポリ塩化ビニルシートにポリ塩化ビニリデンをコーティングしたものが使用されているが包材コストが高くなるという問題がある。
【０００８】
そこで、低コストで、低公害のポリプロピレンが使用されているが透明性、成形適性等の点で最適基材シートとなっておらず積層した基材シートも使用されている。又、内容物の防湿性やガス遮断性、遮光性等を特に要求される時にはＰＴＰ包装体をガスバリア性が高く遮光性のある包装材料により所定数量自動包装機により三方シール又は四方シールにて密封包装されている。
【０００９】
さらに、医薬品製剤の種類によつては所定数量自動包装機により三方シール又は四方シール密封包装する際に窒素ガス等によりガス充填あるいはガス置換による密封シール包装を行う場合もある。
【００１０】
また、内容物を収納する凹設収容部を密封する蓋材として、収納された内容物等を成形体側から押し、蓋材を破壊して取り出す為に、防湿性、ガス遮断性に優れ且つ開封性が優れている２０〜４０μｍのアルミニウム箔に片面あるいは両面印刷を施し、ヒートシールラッカー等のシール材を塗布した蓋材が一般に使用されている。また、蓋材は内容物の保護性を重視する為と、子供では容易に破ることができないようにしている。
【００１１】
さらに、医薬品製剤のＰＴＰ包装体における薬剤の表示は現在主に成形基材或は蓋材に製薬メーカーの登録マークか記号或は薬剤番号が印刷されているだけで一般の人では製薬製造先や薬名はおろか薬効等が全く分からないのが現状である。
【００１２】
また、ＰＴＰ包装された医薬品製剤は医療事故防止対策として上記のようにＰＴＰ包装体シート等をいれる内袋に販売名、規格、含量等の明記が指導されている。しかし医師が処方した処方箋に基づき薬局で調剤又は処方される薬剤は、複数であることが多く、これらの複数の薬剤は、同一の薬袋に封入されて患者に渡す際、患者に対して薬剤を示し、どの薬をどのような用法で服用するのかを説明した上で患者に渡している。しかし、患者は薬剤の種類や服用等を記憶しておく必要があるが、後日、薬剤の種類等を判別することが出来なくなり、外観上類似した薬剤の識別ミスにより誤飲による医薬事故も生じている。
【００１３】
さらに、透明な基材シートを成形して内容物を収容できる凹設収容部を形成し、その凹設収容部の開口部がヒートシール層を有する蓋材にて密封したプレススルーパック包装体の基材に硬質のプラスチックシートを用いることが多く服用時或は携帯時にシートの縁部で手等に損傷することがあり問題となっている。
【００１４】
また、プレススルーパック包装体を携帯しているときに凹設部に過剰な圧力等が加わり錠剤等の内容物が飛び出したり、或は密封蓋材に傷が付きピンホールを生じ品質の低下を招くことがあった。
【００１５】
【発明が解決しようとする課題】
上記のように従来のＰＴＰ包装体の開封は子供が誤飲しないように破封し難いようになっており破封部を強く圧して開封する為に、お年寄りには大変な作業となっている。また処方された複数の薬剤が同じ薬袋に封入されている為に薬剤の識別が難しく又服用方法、効果等が理解しにくく誤飲の問題が非常に多い。
【００１６】
このために、内容物を収容する凹設収容部を密封する蓋材の基材であるアルミニウム箔を少し厚めにして蓋材の凹設収容部周縁形状より小さめの形状にハーフカット線を施したり収容部周縁形状部に加圧等を施し破封性をよくしたものが提案されている。
【００１７】
しかし、ハーフカット線加工は精度を要し、少しでも深く加工されると内容物の保護機能が著しく低下する。又誤飲防止の為に成形基材シートをカラー化したり、薬剤形状や色を変えたりしているが薬剤が余りにも数が多く類似品が非常に増加している為に服用時に混乱が生じている。
本発明は、このような問題点を解決するためになされたものであり、その目的とするところは、ＰＴＰ包装体において、内容物の保護性を向上し、且つ子供の誤飲防止機能及び蓋材の保護機能を付与し、且つ服用時での誤飲防止と、お年寄りでも指先で容易に内容物を取り出すことのできる便利性と携帯及び服用時でのシート縁部による損傷事故が生じない安全性に優れた最小包装単位での種々の表示添付が出来るＰＴＰ包装体シート角筒状包装ケースを提供することにある。
【００１８】
【課題を解決するための手段】
本発明は上記の課題を解決するために、以下のようなものである。
【００２０】
次に、本発明の請求項１に係る発明は、プレススルーパック包装体を収納する包装ケースにおいて、上蓋面板１１の右長辺方向に折罫線１８を介して左側面板１２が連設され、左側面板１２の右長辺方向に折罫線１９を介して底面板１３が連設され、さらに底面板１３の右長辺方向に折罫線２０を介して中央側面板１４が連設され、中央側面板１４の右長辺方向に折罫線２１を介して左内蓋面板９が連設され、さらに左内蓋面板９の右長辺方向に折罫線２２を介して右内蓋面板１０が連設され、さらに右内蓋面板１０の右長辺方向に折罫線２３を介して右側面板１５を設け、左内蓋面板９と右内蓋面板１０にプレススルーパック包装体８の凹設収容部４と同等の配列で凹設収容部４の大きさか、それ以上の大きさの孔２４が設けられ左内蓋面板９の右長辺方向に施されている折罫線２２から右内蓋面板１０を内側に折り畳みプレススルーパック包装体８を包囲すると同時に中央側面板１４と右側面板１５を結着し、底面板１３の長辺方向の左右に施されている折罫線１９、２０を内側に折り曲げ左側面板１２と中央側面板１４が向き合わせ後、中央側面板１４に折罫線２１を介して連設されている左内蓋面板９、右内蓋面板１０を内側に底面板１３と平行に折り曲げ角筒状に形成し、さらに、左側面板１２の短辺方向両端に折罫線３５を介してダスト面３１、中央側面板１４の短辺方向両端に折罫線３７を介してダスト面３６を設け、さらに上蓋面板１１の短辺方向の両端に折罫線３３を介してダフトフラップ面２９を設けさらに折罫線３４を介してダフト面３０を設けさらにダフト面３０先端中央部にＶ型ノッチ３８および切れ目線３９を設けるとともに、上蓋面板１１が左内蓋面板９、右内蓋面板１０上に重ね合わされ、さらに左側面板１２、中央側面板１４の両端に連設されたダスト面３１、３６を左側面板１２、と中央側面板１４に対し直角に内側に折り曲げ、ダフトフラップ面２９を上蓋面板１１に直角に折り曲げ、さらに上蓋面板１１を開かなくするためにダフト面３０を底面板１３に挿入し角筒状に形成されることを特徴としプレススルーパック包装体８は凹設収容部４と凹設収容部開口部４７を除いて左内蓋面板９と右蓋面板１０とにより、包囲収納されていることを特徴とするプレススルーパック角状包装体ケースである。
【００２１】
次に、本発明の請求項２に係る発明は、前記上蓋武面板１１の左長辺方向に折罫線２８
を介してタブ面２７を設けたことを特徴とする請求項１記載のプレススルーパック角状包装体ケースである。
【００２２】
次に、本発明の請求項３に係る発明は、前記上蓋面板１１の左長辺方向に折罫線４２を介して附加面板４１を設けたことを特徴とする請求項１記載のプレススルーパック角状包装体ケースである。
【００２３】
【発明の実施の形態】
本発明の使用説明書台紙付きＰＴＰ包装体ケースを実施の形態に沿って以下に図面を参照しながら詳細に説明する。図１〜図１８は本発明の一実施例を示す。図１は本発明に係るＰＴＰ包装体がブランク板で包囲されている断面図、図２は本発明に係るＰＴＰ角状包装体ケースブランク板紙の形態を示す一例の展開図、図３は図２のブランク板紙が折り畳まれた状態を示す展開図、図４（ａ〜ｃ）はブランク板紙の組立て状態を示す斜視図、図５は図４（ｃ）のＢ−Ｂ′断面を示す断面図、図６は本発明に係るＰＴＰ角状包装体ケースブランク板紙の形態を示す一実施例の展開図、図７は図６のブランク板紙が折り畳まれた状態を示す展開図、図８（ａ〜ｃ）はブランク板紙の組立て状態を示す斜視図、図９は図８（ｃ）のＥ−Ｅ′断面を示す断面図、図１０は本発明に係るＰＴＰ角状包装体ケースブランク板紙の形態を示す一実施例の展開図、図１１は図１０のブランク板紙が折り畳まれた状態を示す展開図、図１２（ａ〜ｃ）はブランク板紙の組立て状態を示す斜視図、図１３は図１２（ｃ）のＧ−Ｇ′断面を示す断面図、図１４は本発明に係るＰＴＰ角状包装体ケースブランク板紙の形態を示す一実施例の展開図、図１５は図１４のブランク板紙が折り畳まれた状態を示す展開図、図１６（ａ〜ｃ）はブランク板紙の組立て状態を示す斜視図、図１７は図１６（ｃ）のＩ−Ｉ′断面を示す断面図、図１８はＰＴＰ角状包装体ケースの立設状態を示す斜視図である。
【００２４】
本願発明のブランク板紙１は両面カード紙、マニラボール紙、裏白ボール紙、アイボリー紙等の坪量が１６０ｇ/ｍ2〜４００ｇ/ｍ2程度の板紙が使用することができ、板紙の片面又は両面に印刷が施され且つ耐水性、美粧性等を必要とする場合は印刷後に表面加工等が施される。また、保存あるいは保管場所等により強度の耐水性のブランク板を要望するときは、あらかじめ紙を抄造時に耐水性を付与した耐水板紙を使用することが望ましい。
【００２５】
また、本願発明のブランク板紙１の印刷は凸版印刷、平版印刷、凹版印刷あるいはスクリーン印刷等で印刷され必要に応じてラッカーコート、ビニールコート、塩化ビニリデンコート、プレス加工等の表面加工が施され、所定の形状に打抜き加工と同時に折罫線加工を施し、孔等の部分を抜脱するためのムシリ加工がほどこされる。
【００２６】
図１に示すように、本実施例のＰＴＰ包装体８の内容物３を収容する凹設収容部材２はポリ塩化ビニル、ポリプロピレン、ポリエステル、ポリカーボネート等の透明又は着色のプラスチックシートを成形した凹設収容部４に錠剤、カプセル、トローチ剤等の内容物３を収容し蓋材５により密封する部材より構成されている。
【００２７】
凹設収容部４の形状は収容する物の形状により長円形、三角形、円形、楕円形、長方形、角形等の所要の形状が形成される。
【００２８】
凹設収容部材２を形成する透明又は着色なプラスチックシートは一層又は防湿性や酸素バリア性、遮光性を付与する為に、ポリ塩化ビニリデン、エチレン・ビニルアルコール共重合体等の樹脂層を含む多層の構成としても良い。
【００２９】
成形することにより凹設収容部材２を形成する透明又は着色なプラスチックシートは、厚さが５０〜５００μｍのシートが使用される。シートの厚さはポリカーボネート、ポリ塩化ビニル等は５０〜３５０μｍ程度、ポリスチレン、ポリプロピレン等は１００〜３５０μｍ程度が強度的に好ましい。
【００３０】
また、、透明なプラスチックシートを成形した成形体からなる凹設収容部４に、内容物3等を収容し、その蓋材５はシール層６により凹設収容部材２とヒートシールにより接着されている。ヒートシールにより接着可能な接着剤としては、ホットメルトタイプの接着剤やシアノアクリレート等あるいは熱可塑性樹脂層等があげられる。また、シール層６は、内容物３に対して溶剤の影響がないヒートシールによる接着が好ましい。
【００３１】
蓋材基材７は、アルミニウム箔、ポリ塩化ビニル、ポリプロピレン、ポリエチレン、薄葉紙、ポリアミド等のフイルムを用いることができる。内容物３の保存の上で防湿性、遮光性も優れ、破封性の良い２０〜４０μｍのアルミニウム箔等の金属箔が好ましい。
【００３２】
図１に示すように透明又は着色したプラスチックシートを成形した成形体からなる凹設収容部４に内容物３等を収容し、その凹設収容部４を蓋材5で密封後、あらかじめ印刷、折罫線及抜脱等の加工を施したブランク板紙１左内蓋面板９、右内蓋面板１０にＰＴＰ包装体の凹設収容部４と同等の配列で凹設収容部４の大きさか、それ以上に大き目の孔２４が施されているブランク板紙１で包囲される。また、孔２４の大きさは凹設収容部４の大きさかそれよりも１ｍｍ〜１、５ｍｍ程度大きい方が好ましい。
【００３３】
本願発明のブランク板紙１はＰＴＰ包装体８による医療事故（医療過誤）防止を計る為に、看護婦あるいは薬剤師が患者に薬剤を間違えて渡すことを防止し、また患者あるいは看護婦による薬剤の投与方法の間違い、あるいは投与容量の間違い、又は投与剤の間違い等々を未然に防止するためにＰＴＰ包装体８の最小包装単位に和文・英文販売名、規格・含量、識別コード、ケアマーク、注意表示等々が高齢者等の視力の弱い患者にも容易に確認でき、且つ投与日あるいは投与方法を忘れることを防ぐとともに、既に飲んでいるのを忘れてしまういわゆる「飲み忘れ」を防止するためのＰＴＰ包装体８の最適包装である。
【００３４】
このＰＴＰ包装体１の最適包装を実施するブランク板紙１の一実施を図２〜図４に示す。ブランク板紙１は上蓋面板１１、左側面板１２、底面板１３、中央側面板１４、左内蓋面板９、右内蓋面板１０、右側面板１５が折罫線１８、１９、２０、２１、２２、２３、を介して連設され、上蓋面板１１の先端中央に折罫線２５を介して差込片１６を設け、その差込片１６を差込口１７を中央側面板１４の中央に設けられている。左内蓋面板９、右内蓋面板１０にはＰＴＰ包装体８の凹設収容部４と同等の配列で凹設収容部４の大きさか、それ以上に大き目の孔２４が設けられている。
【００３５】
図３（ａ）に示すようにブランク板紙１の一部でＰＴＰ包装８を包囲する内蓋面板は折罫線２２を内側に折り曲げ、（ｂ）に示すように折り重ねられ左内蓋面板９、右内蓋面板１０および中央側面板１４、右側面板１５が接着される。接着剤２６は、溶剤型、エマルジョン型、ホットメルト型接着剤が使用されが内容物に対して溶剤の影響が少ない接着剤が好ましい。
【００３６】
ＰＴＰ包装体８がブランク板紙１の一部で包囲し組立てられる工程を図４（ａ〜ｃ）に示す。ＰＴＰ包装体８はブランク板紙１の一部で包囲される為にＰＴＰ包装体８の端面が全てブランク板紙１で覆われる為に手等を損傷することも無くなる。また、ブランク板紙１の左内蓋面板９、右内蓋面板１０で包囲されたＰＴＰ包装体８は凹設収容開口部４７を上側になるように内側に折り曲げられ、底面板１３と平行の状態で上蓋面板１１が左内蓋面板９、右内蓋面板１０に重ね合わされ差込片１６が差込口１７に差し込まれ上蓋面板１１が開かないようにワンプッシュ方法でロックされ角筒状のケースが形成される。
【００３７】
また、上蓋面板１１が左内蓋面板９、右内蓋面板１０に重ね合わされ、角筒状のケースを形成され、上蓋面板１１が開かないようにロックする方法はワンプッシュ方法あるいはそれ以外の差し込み方法等いずれの方法でもよく、上蓋面板１１が開かずロックされる形態が用いられる。
【００３８】
また、図５に示すようにＰＴＰ包装体８の凹設収容開口部４７は上蓋面板１１で保護されＰＴＰ包装体８の蓋材５の損傷が防止でき、また投与時もＰＴＰ包装体８をケースから取り出すことなしに上蓋面板１１を開け内蓋面板を持ち上げ成形基材２面を押すことで安易にＰＴＰ包装体８の開口部から内容物を取り出すことができる。
【００３９】
さらに、図２に示すブランク板紙１は上蓋面板１１、左側面板１２、底面板１３が折罫線１８、１９を介して連接されているために表裏の広い範囲に印刷ができ、ＰＴＰ包装体８に義務づけられている表示以外の多くの情報を提供することが出来る。
【００４０】
また、図１８に示すよう角筒状のケースを形成し上蓋面板１１をロックする為の差込口１７に変えて差込用切れ目線４５を設けると共に折罫線２２で連設されている左内蓋面板９、右内蓋面板１０の長辺方向中央部の折罫線上２２に差込片１６を差し込む差込用切れ目線４６を設けることにより狭い病床で三角筒形状に立てかけて薬剤投与方法、あるいは投与期日、効能等を見ることも出来るほかに投与日等を忘れることを防止する為にカレンダー等に投与日を知らせ占める為のシール部材４４が添付されている。
【００４１】
さらに本願発明の一実施例を図６〜図７に示す。図２と同様にブランク板紙１は上蓋面板１１、左側面板１２、底面板１３、中央側面板１４、左内蓋面板９、右内蓋面板１０、右側面板１５が折罫線１８、１９、２０、２１、２２、２３、を介して連設され、上蓋面板１１の先端中央に折罫線を２５介して差込片１６を設け、その差込片１６が差込口１７を中央側面板１４の中央に設けられている。左内蓋面板９、右内蓋面板１０にＰＴＰ包装体８の凹設収容部４と同等の配列で凹設収容部４の大きさか、それ以上の大きさの孔２４が施され、さらに左内蓋面板９、右内蓋面板１０の先端部短辺方向の左右に飲み忘れ防止する為のタブ面２７が折罫線２８を介して設けられている。孔の大きさは凹設収容部の大きさかそれよりも１ｍｍ〜１、５ｍｍ程度大きい方が好ましい。
【００４２】
投与日あるいは投与間隔等が厳密な薬剤においてタブ面に投与日あるいは投与時間等を大きく明記することにより飲み忘れを防止する。
【００４３】
また、図７に示すようにブランク板紙１の一部でＰＴＰ包装体８を包囲する左内蓋面板９、右内蓋面板１０は折罫線２２を内側に折り曲げ、（ｂ）に示すように折り重ねられ中央側面板１４、右側面板１５が接着される。接着剤２６は、溶剤型、エマルジョン型、ホットメルト型接着剤が使用されるが内容物に対して溶剤の影響がない接着剤が好ましい。
【００４４】
ＰＴＰ包装８がブランク板紙１の一部で包囲され内蓋面板で定着され、図８（ａ〜ｃ）に示すようにブランク板紙１の左内蓋面板９、右内蓋面板１０で包囲されたＰＴＰ包装体８は開口部を上側になるように内側に折り曲げられ、同時にタブ面２７も内側に折り曲げ底面板１３と平行の状態で上蓋面板１１が左内蓋面板９、右内蓋面板１０に重ね合わされ、差込片１６が差込口１７に差し込まれる。また上蓋面板１１が開かないようにワンプッシュ方法でロックされ角筒状のケースが形成される。
【００４５】
また図９に示すようにＰＴＰ包装体８の凹設収容開口部４７は上蓋面板１１で保護されＰＴＰ包装体８の蓋材５の損傷が防止でき、また投与時もＰＴＰ包装体８をケースから取り出すことなしに上蓋面板１１を開け左内蓋面板９、右内蓋面板１０を持ち上げ、成形基材２面を押すことで安易にＰＴＰ包装体８凹設収容開口部４７から内容物３を取り出すことができる。
【００４６】
図６に示すブランク板紙１は図２と同様に上蓋面板１１、左側面板１２、底面板１３が折罫線１８、１９を介して連接されているために表裏の広い面積に印刷がほどこされ、ＰＴＰ包装体８に義務づけられた表示以外の多くの情報を提供することが出来る。
【００４７】
さらに本願発明の一実施例を図１０に示す。ブランク板紙１は上蓋面板１１、左側面板１２、底面板１３、中央側面板１４、左内蓋面板９、右内蓋面板１０、右側面板１５が折罫線１８、１９、２０、２１、２２、２３、を介して連設され、上蓋面板１１の左側方向に折罫線２８を介して曜日を表示する為のタブ面２７を設けるとともに上蓋面板１１の短辺方向の両端面に折罫線３３を介してダフトフラップ面２９を設け、さらに折罫線３４を介してダフト面３０を設け、さらに左側面板１２、中央側面板１４の短辺方向の両端面に折罫線３５、３７を介してダスト面３１、３６が設けられている。また底面板１３の短辺方向の両端面中央にダフト面３０が外し易くする為に円形状のつまみ口３２を設けるとともに、左内蓋面板９、右内蓋面板１０にＰＴＰ包装体８の凹設収容部４と同等の配列で凹設収容部４の大きさか、あるいは１ｍｍ〜１、５ｍｍ程度大きめの孔２４が設けられている。
【００４８】
図１０に示す上蓋面板１１の左側先端に折罫線２８を介して曜日を表示する為のタブ面２７は投薬の飲み忘れあるいはすでに飲んだことを忘れることを防止する為と、残りの投薬を確認する為に、一定の期間数にタブ面２７が分化されるように一定の期間数分のタブ面２７にミシン目加工を施し飲んだ曜日のタブ面２７を切り取る。この場合は上蓋面板１１に折罫線を介してタブ面２７が設けられている折罫線２８、４４はミシン目加工あるいはハーフカット加工を施すことによりタブ面２７が切り取り易くなる。
【００４９】
また、上蓋面板１１に設けられているダフト面３０と折罫線３４を介してダフトフラップ面２９が連設されているがダフト面３０がはずれて上蓋面板１１が開かないようにする為に両端の折罫線上に切り込み４３が施されロックされる。ロック方法はスリットロックあるいはノッチタック、パイロックのいずれもでもよい。
【００５０】
さらに図１１（ａ）に示すようにブランク板紙１の一部左内蓋面板９、右内蓋面板１０でＰＴＰ包装体８を包囲する、側面板９、１０は折罫線２２を内側に折り曲げ、（ｂ）に示すように折り重ねられ左内蓋面板９、右内蓋面板１０および中央側面板１４、右側面板１５、が接着される。接着剤２６は、溶剤型、エマルジョン型、ホットメルト型接着剤が使用されが内容物に対して溶剤の影響がない接着剤２６が好ましい。
【００５１】
ＰＴＰ包装体８はブランク板紙１の一部の左内蓋面板９、右内蓋面板１０で包囲されている為にＰＴＰ包装体８の端面が全て覆われることでＰＴＰ包装体８取り扱い時に手等を損傷することが全く無くなった。
【００５２】
図１１に示す上蓋面板１１の短辺方向両端部に設けられているダフト面３０先端中央部にＶ形ノッチ３８および切れ目線３９を設け、薬を飲む時に同時に飲む薬を飲み忘れないような表示がほどこされている。また、薬剤投与方法、あるいは薬剤投与期日、効能等の他投与日を忘れることを防止する為にいつも見える病床等の狭いテーブルで三角筒形状に立てかける為に上蓋面板１１、底面板１３および左内蓋面板９、右内蓋面板１０を三角筒形状に施し、両ダフトフラップ面２９を上蓋面板１１の内側に略直角に折り曲げると同時に両ダフト面３０先端の中央部に設けられている切れ目線３９を左内蓋面板９、右内蓋面板１０短辺方向先端に差し込む事により三角筒形状が形成されテーブルで立てかける事ができる。
【００５３】
図１１（ａ）に示すブランク板紙１の左内蓋面板９、右内蓋面板１０でＰＴＰ包装体８が包囲され角状包装体ケースを形成する工程を図１２（ａ〜ｃ）に示す。ＰＴＰ包装体８が包囲されている左内蓋面板９、右内蓋面板１０を折罫線２０、２１から内側に底面板１１と平行になるように折り曲げ（ｂ）さらに左側面板１２、中央側面板１４の両側端面に設けられているダスト面３１、３６を内側に折り曲げると共に上蓋面板１１の左側方向に折罫線を介して設けられているタブ面２７を折罫線２８から折り畳み上蓋面板１１の内面を内蓋面板上に重ね合わせ、さらに上蓋面板１１両端に設けられているダフト面３０を底面板にの内側面に差し込角状包装体ケースが形成される。
【００５４】
また、図１３に図１２（ｃ）ＰＴＰ包装角状包装体ケースのＧ−Ｇ′断面を示す。ＰＴＰ包装体８はブランク板紙１に全体が覆われる為に遮光性を要求する薬剤等に最適であると同時に病床等の狭いテーブルなど狭い場所に立てて置くこともできる。
【００５５】
また、左内蓋面板９、右内蓋面板１０で包囲されているＰＴＰ包装体８は開口部および凹設収容部４は開放されている為に投与時にＰＴＰ包装体８をケースから分離すること無しに上蓋面板１１を開き左内蓋面板９、右内蓋面板１０を多少持ち上げ凹設収容部４を押すことで容易に内容物３を取り出すことができる。
【００５６】
さらに、左内蓋面板９、右内蓋面板１０に包囲されているＰＴＰ包装体８の開口部蓋材５は上蓋面板１１で覆われている為に蓋材の損傷が防止できる。
【００５７】
さらに、本願発明の一実施例を図１４〜図１６に示す。図１４に示すブランク板紙は図１０に示すブランク板紙と同様にブランク板紙１は上蓋面板１１、左側面板１２、底面板１３、中央側面板１４、左内蓋面板９、右内蓋面板１０、右側面板１５、が折罫線１８、１９、２０、２１、２２、２３、を介して連設され、上蓋面板１１の左側方向に折罫線４２を介して、今まで以上の情報量あるいは飲み忘れを防止させる機能を提供するための附加面板４１を設けるとともに上蓋面板１１の短辺方向の両端面に折罫線３３を介してダフトフラップ面２９を設け、さらに折罫線３４を介してダフト面３０を設け、さらに左側面板１２、中央側面板１４の短辺方向の両端面にダスト面３１、３６が設けられるとともに左内蓋面板９、右内蓋面板１０にＰＴＰ包装体８の凹設収容部４と同等の配列で凹設収容部４の大きさか、１ｍｍ〜１、５ｍｍ程度大きめの孔２４が設けられている。
【００５８】
附加面板４１を設け、薬剤に対する情報がより多く提供出来る為に、従来薬剤の箱等に別紙として挿入されていた効能書が不用になるだけで無く、効能書が紛失し投与方法、あるいは投与量等々を忘れ、且つ効能書が紛失したために薬剤の誤飲事故が発生していたが、本願発明は常に一体の為に投与方法、あるいは投与量等を誤飲する心配がなくなる。
【００５９】
また、附加面板４１の外側表面に薬剤の投与を忘れることを防止する為に常にいつでも目に入るカレンダー等に投与日を知らせ占める為に貼るシール部材を設けることができる。
【００６０】
さらに図１５（ａ）に示すようにブランク板紙１の一部の左内蓋面板９、右内蓋面板１０でＰＴＰ包装体８を包囲する、左内蓋面板９、右内蓋面板１０は折罫線２２を内側に折り曲げ、（ｂ）に示すように折り重ねられ左内蓋面板９、右内蓋面板１０および中央側面板１４、右側面板１５が接着される。接着剤２６は、溶剤型、エマルジョン型、ホットメルト型接着剤が使用されが内容物に対して溶剤の影響がない接着剤２６が好ましい
【００６１】
図１５（ａ）に示すブランク板紙１の左内蓋面板９、右内蓋面板１０でＰＴＰ包装体８が包囲され角状包装体ケースを形成する工程を図１６（ａ〜ｃ）に示す。ＰＴＰ包装体８が包囲されている左内蓋面板９、右内蓋面板１０を折罫線２０、２１から内側に底面板１１と平行になるように折り曲げ（ｂ）さらに左側面板１２、中央側面板１４の両側端面に設けられているダスト面３１、３６を内側に折り曲げると共に上蓋面板１１の左側方向に折罫線４２を介して設けられている附加面板４１を折罫線４２から折り畳み上蓋面板１１の内側面と密着させた後、左内蓋面板９、右内蓋面板１０上に重ね合わせ、さらに上蓋面板１３両端に設けられているダフト面３０を底面板１１の内側面に差し込み角状包装体ケースが形成される。
【００６２】
また、上蓋面板１１に設けられているダフト面３０が底面板１３の内側面に差し込だダフト面３０がはずれて上蓋面板１１が開かないようにする為にダフトフトフラップ面２９左右両端とダフト面３０左右両端間の折罫線上に切り込み４３が施されている。上蓋面板１１が開かないようにロックされる切り込み４３はスリットロックあるいはパイロック、ノッチタックの何れかが設けられている。
【００６３】
また図１７は図１６（ｃ）のＩ−Ｉ′断面を示す断面図であり、図９で示したようにＰＴＰ包装体８の凹設収容開口部４７は上蓋面板１１で保護されＰＴＰ包装体８の蓋材５の損傷が防止でき、また投与時もＰＴＰ包装体８をケースから分離することなしに上蓋面板１１を開け左内蓋面板９、右内蓋面板１０を持ち上げ、凹設収容部材２面を押すことで安易にＰＴＰ包装体８の凹設収容開口部４７から内容物３を取り出すことができる。またＰＴＰ包装体８はブランク板紙１に全体が覆われる為に遮光性を要求する薬剤等に最適な包装方法である
【００６４】
【発明の効果】
本発明は、以上の構成からなるプレススルーパック角状包装体ケースで薬剤の飲み忘れ、あるいはすでに飲んだのを忘れ再び飲むのを防止する為の機能が施され誤飲を防止する。また患者が服用に際し多くの情報が提供される為に誤飲防止はもとより効能等患者が十分理解し、安心して服用できるプレススルーパック包装体ケースである。また服用に際し内容物である薬剤をケースから分離することなしに上蓋面板を開けるだけで容易に取り出すことが出来るほかプレススルーパックをブランク板紙で覆うことで遮光性や薬剤の保護性が向上し品質の劣化をも防止できる。さらに、情報量が多く提供出来る為に、従来別紙で添付されていた効能書が不要になるだけでなく効能書を紛失することが無く投与方法、投与量等をいつでも投与時に確認して服用出来る為に飲み忘れや誤飲が防止できる。
【図面の簡単な説明】
【図１】は本発明のＰＴＰ包装体がブランク板紙で包囲されている断面図である。
【図２】は本発明のＰＴＰ角状包装体ケースのブランク板紙形態を示す一実施例の展開図である。
【図３】（ａ）は図２のＰＴＰ包装体が包囲された状態を示す平面図である。（ｂ）は図３（ａ）Ａ−Ａ′断面を示す断面図である。
【図４】（ａ〜ｃ）は本発明のＰＴＰ角状包装体ケースの組立て工程を示す斜視図である。ＰＴＰ包装体ケースのブランク板紙形態を示す一例の展開図である。
【図５】は図４（ｃ）のＢ−Ｂ′断面を示す断面図である。
【図６】は本発明のＰＴＰ角状包装体ケースのブランク板紙形態を示す一実施例の展開図である。
【図７】（ａ）は図６のＰＴＰ包装体が包囲された状態を示す平面図である。（ｂ）は図６のＤ−Ｄ′断面を示す断面図である。
【図８】（ａ〜ｃ）本発明のＰＴＰ角状包装体ケースの組立て工程を示す斜視図である。
【図９】は図８（ｃ）のＥ−Ｅ′断面を示す断面図である。
【図１０】は本発明のＰＴＰ角状包装体ケースのブランク板紙形態を示す一実施例の展開図である。
【図１１】（ａ）は図１０のＰＴＰ包装体が包囲された状態を示す平面図である。（ｂ）は図１０のＦ−Ｆ′断面を示す断面図である。
【図１２】（ａ〜ｃ）本発明のＰＴＰ角状包装体ケースの組立て工程を示す斜視図である。
【図１３】は図１２（ｃ）Ｇ−Ｇ′の断面を示す断面図である。
【図１４】は本発明のＰＴＰ角状包装体ケースのブランク板紙形態を示す一実施例の展開図である。
【図１５】（ａ）は図１４のＰＴＰ包装体が包囲された状態を示す平面図である。（ｂ）は図１５（ａ）のＨ−Ｈ′断面を示す断面図である。
【図１６】（ａ〜ｃ）本発明のＰＴＰ角状包装体ケースの組立て工程を示す斜視図である。
【図１７】は図１６（ｃ）のＩ−Ｉ′断面を示す断面図である。
【図１８】（ａ〜ｂ）ＰＴＰ角状包装体ケースが立てかけられた状態を示す斜視図である。
【符号の説明】
１…ブランク板紙                          ２…凹設収容部材
３…内容物                                ４…凹設収容部
５…蓋材                                  ６…シール層
７…蓋材基材                              ８…プレススルーパック
９…左内蓋面板                                  包装体
１０…右内蓋面板                          １１…上蓋面板
１２…左側面板                            １３…底面板
１４…中央側面板                          １５…右側面板
１６…差込片                              １７…差込口
１８…折罫線                              １９…折罫線
２０…折罫線                              ２１…折罫線
２２…折罫線                              ２３…折罫線
２４…孔                                  ２５…折罫線
２６…接着剤                              ２７…タブ面
２８…折罫線                              ２９…ダフトフラップ面
３０…ダフト面                            ３１…ダスト面
３２…つまみ口                            ３３…折罫線
３４…折罫線                              ３５…折罫線
３６…ダスト面                            ３７…折罫線
３８…Ｖノッチ                            ３９…切れ目線
４０…シール部材                          ４１…附加面板
４２…折罫線                              ４３…切り込み
４４…折罫線（ミシン目）                  ４５…差込用切れ目線
４６…差込用切れ目線                      ４７…凹設収容開口部
【図１】
0004144249.tif 000002
【図２】
0004144249.tif 000003
【図３】
0004144249.tif 000004
【図４】
0004144249.tif 000005
【図５】
0004144249.tif 000006
【図６】
0004144249.tif 000007
【図７】
0004144249.tif 000008
【図８】
0004144249.tif 000009
【図９】
0004144249.tif 000010
【図１０】
0004144249.tif 000011
【図１１】
0004144249.tif 000012
【図１２】
0004144249.tif 000013
【図１３】
0004144249.tif 000014
【図１４】
0004144249.tif 000015
【図１５】
0004144249.tif 000016
【図１６】
0004144249.tif 000017
【図１７】
0004144249.tif 000018
【図１８】
0004144249.tif 000019